(57)【要約】【課題】申込者が申込書に記入事項を記載して保険に申し込むと同時に保険サービス（補償）を受けられることが可能であると共に、アフターロスの問題を解消することが可能な保護シール及びこれを用いた申込書並びに保険料金支払いシステムを得る。【解決手段】記入事項が記載される記載部分を表面に有する申込書に貼付するための保護シールであって、ベースシート５と、透明シート６と、保護シート７とを備え、透明シート６には、透明シート６の裏面と透明シート用接着層６ａとの間で、かつ、申込書の記載部分以外の部分に対応する位置に、読み取り部８が介在されている。【選択図】図３
2008073900.tif 000002
【特許請求の範囲】
【請求項１】
記入事項が記載される記載部分を表面に有する申込書に貼付するための保護シールであって、
前記保護シールの最下面に位置し、前記申込書の前記記載部分よりも大きい面積を有するベースシートと、
前記ベースシート上に該ベースシートに対して剥離可能に設けられ、該ベースシートから剥離されて前記申込書の前記記載部分を含む領域に貼付される透明シートと、
前記透明シート上に該透明シートに対して剥離可能に設けられた不透明な保護シートとを備え、
前記透明シートの裏面には、透明シート用接着層が設けられ、
前記保護シートの裏面には、保護シート用接着層が設けられ、
前記透明シートには、該透明シートの裏面と前記透明シート用接着層との間で、かつ、前記申込書の前記領域内の前記記載部分以外の部分に対応する位置に、読み取り部が介在されていることを特徴とする保護シール。
【請求項２】
前記透明シート用接着層の接着力は、前記保護シート用接着層の接着力よりも大きいことを特徴とする請求項１に記載の保護シール。
【請求項３】
前記保護シートは、前記申込書の前記領域内の前記記載部分に対応する部分と、前記申込書の前記領域内の前記記載部分以外の部分に対応する部分とを分離して剥離することができることを特徴とする請求項１又は２に記載の保護シール。
【請求項４】
前記記入事項は、個人情報であることを特徴とする請求項１乃至３のうちのいずれか一つに記載の保護シール。
【請求項５】
前記個人情報は、住所、氏名、生年月日、電話番号の少なくともいずれか一つが含まれていることを特徴とする請求項４に記載の保護シール。
【請求項６】
前記読み取り部には、前記申込書を特定する特定情報が含まれていることを特徴とする請求項１乃至５のうちのいずれか一つに記載の保護シール。
【請求項７】
前記読み取り部には、料金情報が更に含まれていることを特徴とする請求項６に記載の保護シール。
【請求項８】
前記読み取り部には、前記申込書の申し込み内容情報が更に含まれていることを特徴とする請求項６又は７に記載の保護シール。
【請求項９】
前記読み取り部は、バーコードであることを特徴とする請求項１乃至８のうちのいずれか一つに記載の保護シール。
【請求項１０】
前記申込書は、保険の申込書である請求項１乃至９のうちのいずれか一つに記載の保護シール。
【請求項１１】
前記保険は、損害保険であることを特徴とする請求項１０に記載の保護シール。
【請求項１２】
前記損害保険は、ゴルファー保険であることを特徴とする請求項１１に記載の保護シール。
【請求項１３】
前記保険は、生命保険であることを特徴とする請求項１０に記載の保護シール。
【請求項１４】
前記申込書は、はがきであることを特徴とする請求項１乃至１３のうちのいずれか一つに記載の保護シール。
【請求項１５】
前記申込書の裏面側には、少なくとも前記記載部分に対応する位置に複写紙が切り離し可能に設けられていることを特徴とする請求項１乃至１４のうちのいずれか一つに記載の保護シール。
【請求項１６】
前記複写紙は、前記申込書の裏面全体に設けられていることを特徴とする請求項１５に記載の保護シール。
【請求項１７】
記入事項が記載される記載部分を表面に有する申込書であって、
前記申込書に貼付するための保護シールを備え、
前記保護シールは、
前記保護シールの最下面に位置し、前記申込書の前記記載部分よりも大きい面積を有するベースシートと、
前記ベースシート上に該ベースシートに対して剥離可能に設けられ、該ベースシートから剥離されて前記申込書の前記記載部分を含む領域に貼付される透明シートと、
前記透明シート上に該透明シートに対して剥離可能に設けられた不透明な保護シートとを有し、
前記透明シートの裏面には、透明シート用接着層が設けられ、
前記保護シートの裏面には、保護シート用接着層が設けられ、
前記透明シートには、該透明シートの裏面と前記透明シート用接着層との間で、かつ、前記申込書の前記領域内の前記記載部分以外の部分に対応する位置に、読み取り部が介在されていることを特徴とする申込書。
【請求項１８】
前記透明シート用接着層の接着力は、前記保護シート用接着層の接着力よりも大きいことを特徴とする請求項１７に記載の申込書。
【請求項１９】
前記保護シートは、前記申込書の前記領域内の前記記載部分に対応する部分と、前記申込書の前記領域内の前記記載部分以外の部分に対応する部分とを分離して剥離することができることを特徴とする請求項１７又は１８に記載の申込書。
【請求項２０】
前記記入事項は、個人情報であることを特徴とする請求項１７乃至１９のうちのいずれか一つに記載の申込書。
【請求項２１】
前記個人情報は、住所、氏名、生年月日、電話番号の少なくともいずれか一つが含まれていることを特徴とする請求項２０に記載の申込書。
【請求項２２】
前記読み取り部には、前記申込書を特定する特定情報が含まれていることを特徴とする請求項１７乃至２１のうちのいずれか一つに記載の申込書。
【請求項２３】
前記読み取り部には、料金情報が更に含まれていることを特徴とする請求項２２に記載の申込書。
【請求項２４】
前記読み取り部には、前記申込書の申し込み内容情報が更に含まれていることを特徴とする請求項２２又は２３に記載の申込書。
【請求項２５】
前記読み取り部は、バーコードであることを特徴とする請求項１７乃至２４のうちのいずれか一つに記載の申込書。
【請求項２６】
前記申込書は、保険の申込書である請求項１７乃至２５のうちのいずれか一つに記載の申込書。
【請求項２７】
前記保険は、損害保険であることを特徴とする請求項２６に記載の申込書。
【請求項２８】
前記損害保険は、ゴルファー保険であることを特徴とする請求項２７に記載の申込書。
【請求項２９】
前記保険は、生命保険であることを特徴とする請求項２６に記載の申込書。
【請求項３０】
前記申込書は、はがきであることを特徴とする請求項１７乃至２９のうちのいずれか一つに記載の申込書。
【請求項３１】
前記申込書の裏面側には、少なくとも前記記載部分に対応する位置に複写紙が切り離し可能に設けられていることを特徴とする請求項１７乃至３０のうちのいずれか一つに記載の申込書。
【請求項３２】
前記複写紙は、前記申込書の裏面全体に設けられていることを特徴とする請求項３１に記載の申込書。
【請求項３３】
記入事項が記載される記載部分を表面に有すると共に切り抜き穴が形成された申込書であって、
前記申込書に貼付するための保護シールと、払込書とを備え、
前記保護シールは、
前記保護シールの最下面に位置し、前記申込書の前記記載部分と前記切り抜き穴とを含む領域の面積を有するベースシートと、
前記ベースシート上に該ベースシートに対して剥離可能に設けられ、該ベースシートから剥離されて前記申込書の前記領域に貼付される透明シートと、
前記透明シート上に該透明シートに対して剥離可能に設けられた不透明な保護シートとを有し、
前記透明シートの裏面には、透明シート用接着層が設けられ、
前記保護シートの裏面には、保護シート用接着層が設けられ、
前記透明シートには、該透明シートの裏面と前記透明シート用接着層との間で、かつ、前記申込書の前記切り抜き穴に対応する位置に、読み取り部が介在されており、
前記払込書は、該払込書の表面が前記申込書の裏面と接面するように、該申込書と重ねられて設けられていると共に、複写部と控部と受領部とをそれぞれ切り取り可能に備えており、
前記複写部は、
前記申込書の前記記載部分に記載された前記記入事項が複写される複写部分と、
前記保護シールの前記透明シートが前記申込書の前記領域に貼付された際に、前記申込書の前記切り抜き穴を通して前記読み取り部が貼付される読み取り部用貼付部分とを有していることを特徴とする申込書。
【請求項３４】
前記申込書の表面には、該申込書を特定する特定情報を有することを特徴とする請求項３３に記載の申込書。
【請求項３５】
前記透明シート用接着層の接着力は、前記保護シート用接着層の接着力よりも大きいことを特徴とする請求項３３又は３４に記載の申込書。
【請求項３６】
前記保護シートは、前記申込書の前記領域内の前記記載部分に対応する部分と、前記申込書の前記領域内の前記切り抜き穴に対応する部分とを分離して剥離することができることを特徴とする請求項３３乃至３５のうちのいずれか一つに記載の申込書。
【請求項３７】
前記記入事項は、個人情報であることを特徴とする請求項３３乃至３６のうちのいずれか一つに記載の申込書。
【請求項３８】
前記個人情報は、住所、氏名、生年月日、電話番号の少なくともいずれか一つが含まれていることを特徴とする請求項３７に記載の申込書。
【請求項３９】
前記読み取り部には、前記申込書を特定する特定情報が含まれていることを特徴とする請求項３３乃至３８のうちのいずれか一つに記載の申込書。
【請求項４０】
前記読み取り部には、料金情報が更に含まれていることを特徴とする請求項３９に記載の申込書。
【請求項４１】
前記読み取り部には、前記申込書の申し込み内容情報が更に含まれていることを特徴とする請求項３９又は４０に記載の申込書。
【請求項４２】
前記読み取り部は、バーコードであることを特徴とする請求項３３乃至４１のうちのいずれか一つに記載の申込書。
【請求項４３】
前記申込書は、保険の申込書である請求項３３乃至４２のうちのいずれか一つに記載の申込書。
【請求項４４】
前記保険は、損害保険であることを特徴とする請求項４３に記載の申込書。
【請求項４５】
前記損害保険は、ゴルファー保険であることを特徴とする請求項４４に記載の申込書。
【請求項４６】
前記保険は、生命保険であることを特徴とする請求項４３に記載の申込書。
【請求項４７】
前記申込書は、はがきであることを特徴とする請求項３３乃至４６のうちのいずれか一つに記載の申込書。
【請求項４８】
前記払込書の前記複写部には、少なくとも前記複写部分に発色インクが施されていることを特徴とする請求項３３乃至４７のうちのいずれか一つに記載の申込書。
【請求項４９】
前記申込者が保険に申し込むための申込書と、
前記保険サービスを提供する保険業者のコンピューターと、
前記申込者から前記申込書及び保険料金を受け取る受け取り業者の端末装置とを備え、
前記保険業者のコンピューターと、前記受け取り業者の端末装置とが通信ネットワークを介して接続された、申込者が保険に申し込むと同時に保険サービスを受けられることが可能な保険料金支払いシステムであって、
前記申込者が保険に申し込むための申込書を備え、
前記申込書は、記入事項が記載される記載部分を表面に有すると共に、前記申込書に貼付するための保護シールを備え、
前記申込書の裏面側には、少なくとも前記記載部分に対応する位置に複写紙が切り離し可能に設けられ、
前記保護シールは、
前記保護シールの最下面に位置し、前記申込書の前記記載部分よりも大きい面積を有するベースシートと、
前記ベースシート上に該ベースシートに対して剥離可能に設けられ、該ベースシートから剥離されて前記申込書の前記記載部分を含む領域に貼付される透明シートと、
前記透明シート上に該透明シートに対して剥離可能に設けられた不透明な保護シートとを有し、
前記透明シートの裏面には、透明シート用接着層が設けられ、
前記保護シートの裏面には、保護シート用接着層が設けられ、
前記透明シートには、該透明シートの裏面と前記透明シート用接着層との間で、かつ、前記申込書の前記領域内の前記記載部分以外の部分に対応する位置に、前記申込書を特定する特定情報及び保険料金情報が少なくとも含まれた読み取り部が介在されており、
前記保護シートは、前記申込書の前記領域内の前記記載部分に対応する部分と、前記申込書の前記領域内の前記記載部分以外の部分に対応する部分とを分離して剥離することができるようになっており、
前記受け取り業者の端末装置は、前記申込書の前記読み取り部を読み取るための読取手段を備えており、
前記申込者は、保険に申し込む際、
前記申込書の前記記載部分に前記記入事項を記載し、前記記入事項が複写された複写紙を前記申込書から切り離してお客様控えとして保管すると共に、前記透明シートを前記ベースシートから剥離して前記申込書の前記記載部分を含む領域に貼付し、前記申込書の前記記載部分を含む領域に貼付された前記保護シートの、前記申込書の前記領域内の前記記載部分以外の部分に対応する部分を、前記申込書の前記領域内の前記記載部分に対応する部分から分離し剥離して前記読み取り部を露呈し、この状態の申込書を前記受け取り業者に差し出し、
前記申込者から前記申込書を差し出された前記受け取り業者は、
前記申込書の露呈した読み取り部を前記端末装置の前記読取手段で読み取って、該読み取った情報を前記通信ネットワークを介して前記端末装置から前記保険業者のコンピューターに伝送すると共に、該読み取り部の保険料金情報をもとに前記申込者から保険料金を受け取り、その後、該申込書を前記申込者に差し出し、
前記申込者は前記受け取り業者から受け取った該申込書を投函することを特徴とする保険料金支払いシステム。
【請求項５０】
前記透明シート用接着層の接着力は、前記保護シート用接着層の接着力よりも大きいことを特徴とする請求項４９に記載の保険料金支払いシステム。
【請求項５１】
前記記入事項は、個人情報であることを特徴とする請求項４９又は５０に記載の保険料金支払いシステム。
【請求項５２】
前記個人情報は、住所、氏名、生年月日、電話番号の少なくともいずれか一つが含まれていることを特徴とする請求項５１に記載の保険料金支払いシステム。
【請求項５３】
前記読み取り部には、保険サービス内容情報が更に含まれていることを特徴とする請求項４９乃至５２のうちのいずれか一つに記載の保険料金支払いシステム。
【請求項５４】
前記読み取り部は、バーコードであることを特徴とする請求項４９乃至５３のうちのいずれか一つに記載の保険料金支払いシステム。
【請求項５５】
前記保険は、損害保険であることを特徴とする請求項４９乃至５４のうちのいずれか一つに記載の保険料金支払いシステム。
【請求項５６】
前記損害保険は、ゴルファー保険であることを特徴とする請求項５５に記載の保険料金支払いシステム。
【請求項５７】
前記保険は、生命保険であることを特徴とする請求項４９乃至５４のうちのいずれか一つに記載の保険料金支払いシステム。
【請求項５８】
前記申込書は、はがきであることを特徴とする請求項４９乃至５７のうちのいずれか一つに記載の保険料金支払いシステム。
【請求項５９】
前記複写紙は、前記申込書の裏面全体に設けられていることを特徴とする請求項４９乃至５８のうちのいずれか一つに記載の保険料金支払いシステム。
【請求項６０】
前記申込者が保険に申し込むための申込書と、
前記保険サービスを提供する保険業者のコンピューターと、
前記申込者から前記申込書及び保険料金を受け取る受け取り業者の端末装置とを備え、
前記保険業者のコンピューターと、前記受け取り業者の端末装置とが通信ネットワークを介して接続された、申込者が保険に申し込むと同時に保険サービスを受けられることが可能な保険料金支払いシステムであって、
前記申込者が保険に申し込むための申込書を備え、
前記申込書は、記入事項が記載される記載部分と該申込書を特定する特定情報とを表面に有すると共に切り抜き穴が形成され、前記申込書に貼付するための保護シールと、払込書とを備え、
前記保護シールは、
前記保護シールの最下面に位置し、前記申込書の前記記載部分と前記切り抜き穴とを含む領域の面積を有するベースシートと、
前記ベースシート上に該ベースシートに対して剥離可能に設けられ、該ベースシートから剥離されて前記申込書の前記領域に貼付される透明シートと、
前記透明シート上に該透明シートに対して剥離可能に設けられた不透明な保護シートとを有し、
前記透明シートの裏面には、透明シート用接着層が設けられ、
前記保護シートの裏面には、保護シート用接着層が設けられ、
前記透明シートには、該透明シートの裏面と前記透明シート用接着層との間で、かつ、前記申込書の前記切り抜き穴に対応する位置に、前記申込書を特定する特定情報及び保険料金情報が少なくとも含まれた読み取り部が介在されており、
前記保護シートは、前記申込書の前記領域内の前記記載部分に対応する部分と、前記申込書の前記領域内の前記切り抜き穴に対応する部分とを分離して剥離することができるようになっており、
前記払込書は、該払込書の表面が前記申込書の裏面と接面するように、該申込書と重ねられて設けられていると共に、複写部と控部と受領部とをそれぞれ切り取り可能に備えており、
前記複写部は、
前記申込書の前記記載部分に記載された前記記入事項が複写される複写部分と、
前記保護シールの前記透明シートが前記申込書の前記領域に貼付された際に、前記申込書の前記切り抜き穴を通して前記読み取り部が貼付される読み取り部用貼付部分とを有しており、
前記受け取り業者の端末装置は、前記申込書の前記読み取り部を読み取るための読取手段を備えており、
前記申込者は、保険に申し込む際、
前記申込書の前記記載部分に前記記入事項を記載して前記払込書の前記複写部の前記複写部分に該記入事項を複写し、前記透明シートを前記ベースシートから剥離して前記申込書の前記領域に貼付すると共に前記申込書の前記切り抜き穴を通して前記読み取り部を前記読み取り部用貼付部分に貼付し、前記申込書の前記領域に貼付された前記保護シートの、前記申込書の前記領域内の前記切り抜き穴に対応する部分を、前記申込書の前記領域内の前記記載部分に対応する部分から分離し剥離して前記読み取り部を露呈し、この状態の申込書及び払込書を前記受け取り業者に差し出し、
前記申込者から前記申込書及び払込書を差し出された前記受け取り業者は、
前記申込書の露呈した読み取り部を前記端末装置の前記読取手段で読み取って、該読み取った情報を前記通信ネットワークを介して前記端末装置から前記保険業者のコンピューターに伝送すると共に、該読み取り部の保険料金情報をもとに前記申込者から保険料金を受け取り、その後、該申込書と前記払込書の前記受領部とを前記申込者に差し出すと共に、前記払込書の前記複写部と前記控部を保管し、
前記申込者は前記受け取り業者から受け取った該申込書を投函すると共に、前記受領部をお客様控えとして保管することを特徴とする保険料金支払いシステム。
【請求項６１】
前記透明シート用接着層の接着力は、前記保護シート用接着層の接着力よりも大きいことを特徴とする請求項６０に記載の保険料金支払いシステム。
【請求項６２】
前記記入事項は、個人情報であることを特徴とする請求項６０又は６１に記載の保険料金支払いシステム。
【請求項６３】
前記個人情報は、住所、氏名、生年月日、電話番号の少なくともいずれか一つが含まれていることを特徴とする請求項６２に記載の保険料金支払いシステム。
【請求項６４】
前記読み取り部には、保険サービス内容情報が更に含まれていることを特徴とする請求項６０乃至６３のうちのいずれか一つに記載の保険料金支払いシステム。
【請求項６５】
前記読み取り部は、バーコードであることを特徴とする請求項６０乃至６４のうちのいずれか一つに記載の保険料金支払いシステム。
【請求項６６】
前記保険は、損害保険であることを特徴とする請求項６０乃至６５のうちのいずれか一つに記載の保険料金支払いシステム。
【請求項６７】
前記損害保険は、ゴルファー保険であることを特徴とする請求項６６に記載の保険料金支払いシステム。
【請求項６８】
前記保険は、生命保険であることを特徴とする請求項６０乃至６５のうちのいずれか一つに記載の保険料金支払いシステム。
【請求項６９】
前記申込書は、はがきであることを特徴とする請求項６０乃至６８のうちのいずれか一つに記載の保険料金支払いシステム。
【請求項７０】
前記払込書の前記複写部には、少なくとも前記複写部分に発色インクが施されていることを特徴とする請求項６０乃至６９のうちのいずれか一つに記載の保険料金支払いシステム。
【発明の詳細な説明】
【技術分野】
【０００１】
本発明は、保護シール及びこれを用いた申込書並びに保険料金支払いシステムに関するものであり、特に、損害保険や生命保険等の保険業界に適応可能な保護シール及びこれを用いた申込書並びに保険料金支払いシステムに関するものである。
【背景技術】
【０００２】
従来において、損害保険や生命保険等の保険に申し込む（加入する）場合、例えば、申込者は、申込書に住所、氏名、生年月日、連絡先等の個人情報などを記載し、該申込書を保険会社に郵送すると共に、保険料を指定口座等に振込んで行っている。
【０００３】
しかしながら、上述のようなシステムでは、保険業者（保険サービス提供者）が、申込者からの口座振込等による保険料支払い（入金）の確認をする時間が必要となるため、申込者が申し込み時の保険料支払い後すぐに保険サービス（補償）を受けることができず、サービス提供開始時期が保険料支払い（入金）の確認後となり、申し込み時よりも遅くなってしまうという問題がある。また、保険業界においては、申込者が、事故が起こった後に契約する保険契約（アフターロス）の問題がある。
【０００４】
そこで、保険の申し込み手続きの簡略化及び保険業者の手間を軽減することができる申込システムが種々提案されている。
【特許文献１】特開２００２−９６５８０号公報
【０００５】
上記特許文献１に記載された発明は、ホテルやリゾート施設などの所定の施設を利用することで、当該施設の利用に応じた期間が補償される期限付保険の申込書及びこれを用いた申込システムに関するものである。この発明では、保険に申し込む者は、ホテルのフロントで申込書に氏名及び住所などの所定の事項を記載し、該申込書をフロントに提出すると共に保険料を支払い、保険の申し込み手続きの完了に応じてフロントから申込者に領収書が渡されることになっている。これにより、保険の申し込み手続きを簡略することができ、保険業者の手間を軽減することができる。
【発明の開示】
【発明が解決しようとする課題】
【０００６】
本発明は、従来における申込システムに比べてより便利でかつ安全に改善されたものであり、申込者が申込書に記入事項を記載して保険に申し込むと同時に保険サービス（補償）を受けられることが可能であると共に、アフターロスの問題を解消することが可能な保護シール及びこれを用いた申込書並びに保険料金支払いシステムを提供することを目的とする。
【課題を解決するための手段】
【０００７】
本発明は、記入事項が記載される記載部分を表面に有する申込書に貼付するための保護シールであって、前記保護シールの最下面に位置し、前記申込書の前記記載部分よりも大きい面積を有するベースシートと、前記ベースシート上に該ベースシートに対して剥離可能に設けられ、該ベースシートから剥離されて前記申込書の前記記載部分を含む領域に貼付される透明シートと、前記透明シート上に該透明シートに対して剥離可能に設けられた不透明な保護シートとを備え、前記透明シートの裏面には、透明シート用接着層が設けられ、前記保護シートの裏面には、保護シート用接着層が設けられ、前記透明シートには、該透明シートの裏面と前記透明シート用接着層との間で、かつ、前記申込書の前記領域内の前記記載部分以外の部分に対応する位置に、読み取り部が介在されていることを特徴とする保護シールを提供する。
【０００８】
また、前記透明シート用接着層の接着力は、前記保護シート用接着層の接着力よりも大きい方が好ましい。また、前記保護シートは、前記申込書の前記領域内の前記記載部分に対応する部分と、前記申込書の前記領域内の前記記載部分以外の部分に対応する部分とを分離して剥離することができる方が好ましい。また、前記記入事項は、個人情報にすることができる。また、前記個人情報は、住所、氏名、生年月日、電話番号の少なくともいずれか一つを含むことができる。また、前記読み取り部には、前記申込書を特定する特定情報を含むことができる。また、前記読み取り部には、料金情報を更に含めることができる。また、前記読み取り部には、前記申込書の申し込み内容情報を更に含めることができる。また、前記読み取り部は、バーコードにすることができる。また、前記申込書は、保険の申込書にすることができる。また、前記保険は、損害保険にすることができる。また、前記損害保険は、ゴルファー保険にすることができる。また、前記保険は、生命保険にすることができる。また、前記申込書は、はがきである方が好ましい。また、前記申込書の裏面側には、少なくとも前記記載部分に対応する位置に複写紙を切り離し可能に設けることができる。また、前記複写紙は、前記申込書の裏面全体に設けることができる。
【０００９】
また、本発明は、記入事項が記載される記載部分を表面に有する申込書であって、前記申込書に貼付するための保護シールを備え、前記保護シールは、前記保護シールの最下面に位置し、前記申込書の前記記載部分よりも大きい面積を有するベースシートと、前記ベースシート上に該ベースシートに対して剥離可能に設けられ、該ベースシートから剥離されて前記申込書の前記記載部分を含む領域に貼付される透明シートと、前記透明シート上に該透明シートに対して剥離可能に設けられた不透明な保護シートとを有し、前記透明シートの裏面には、透明シート用接着層が設けられ、前記保護シートの裏面には、保護シート用接着層が設けられ、前記透明シートには、該透明シートの裏面と前記透明シート用接着層との間で、かつ、前記申込書の前記領域内の前記記載部分以外の部分に対応する位置に、読み取り部が介在されていることを特徴とする申込書を提供する。
【００１０】
また、前記透明シート用接着層の接着力は、前記保護シート用接着層の接着力よりも大きい方が好ましい。また、前記保護シートは、前記申込書の前記領域内の前記記載部分に対応する部分と、前記申込書の前記領域内の前記記載部分以外の部分に対応する部分とを分離して剥離することができる。また、前記記入事項は、個人情報にすることができる。また、前記個人情報は、住所、氏名、生年月日、電話番号の少なくともいずれか一つを含めることができる。また、前記読み取り部には、前記申込書を特定する特定情報を含めることができる。また、前記読み取り部には、料金情報を更に含めることができる。また、前記読み取り部には、前記申込書の申し込み内容情報を更に含めることができる。また、前記読み取り部は、バーコードにする方が好ましい。また、前記申込書は、保険の申込書にすることができる。また、前記保険は、損害保険にすることができる。また、前記損害保険は、ゴルファー保険にすることができる。また、前記保険は、生命保険にすることができる。また、前記申込書は、はがきである方が好ましい。また、前記申込書の裏面側には、少なくとも前記記載部分に対応する位置に複写紙が切り離し可能に設けられている方が好ましい。また、前記複写紙は、前記申込書の裏面全体に設けることができる。
【００１１】
また、本発明は、記入事項が記載される記載部分を表面に有すると共に切り抜き穴が形成された申込書であって、前記申込書に貼付するための保護シールと、払込書とを備え、前記保護シールは、前記保護シールの最下面に位置し、前記申込書の前記記載部分と前記切り抜き穴とを含む領域の面積を有するベースシートと、前記ベースシート上に該ベースシートに対して剥離可能に設けられ、該ベースシートから剥離されて前記申込書の前記領域に貼付される透明シートと、前記透明シート上に該透明シートに対して剥離可能に設けられた不透明な保護シートとを有し、前記透明シートの裏面には、透明シート用接着層が設けられ、前記保護シートの裏面には、保護シート用接着層が設けられ、前記透明シートには、該透明シートの裏面と前記透明シート用接着層との間で、かつ、前記申込書の前記切り抜き穴に対応する位置に、読み取り部が介在されており、前記払込書は、該払込書の表面が前記申込書の裏面と接面するように、該申込書と重ねられて設けられていると共に、複写部と控部と受領部とをそれぞれ切り取り可能に備えており、前記複写部は、前記申込書の前記記載部分に記載された前記記入事項が複写される複写部分と、前記保護シールの前記透明シートが前記申込書の前記領域に貼付された際に、前記申込書の前記切り抜き穴を通して前記読み取り部が貼付される読み取り部用貼付部分とを有していることを特徴とする申込書を提供する。
【００１２】
また、前記申込書の表面には、該申込書を特定する特定情報を有している方が好ましい。また、前記透明シート用接着層の接着力は、前記保護シート用接着層の接着力よりも大きい方が好ましい。また、前記保護シートは、前記申込書の前記領域内の前記記載部分に対応する部分と、前記申込書の前記領域内の前記切り抜き穴に対応する部分とを分離して剥離することができる方が好ましい。また、前記記入事項は、個人情報にすることができる。また、前記個人情報は、住所、氏名、生年月日、電話番号の少なくともいずれか一つを含めることができる。また、前記読み取り部には、前記申込書を特定する特定情報を含めることができる。また、前記読み取り部には、料金情報が更に含めることができる。また、前記読み取り部には、前記申込書の申し込み内容情報を更に含めることができる。また、前記読み取り部は、バーコードにする方が好ましい。また、前記申込書は、保険の申込書にすることができる。また、前記保険は、損害保険にすることができる。また、前記損害保険は、ゴルファー保険にすることができる。また、前記保険は、生命保険にすることができる。また、前記申込書は、はがきである方が好ましい。また、前記払込書の前記複写部には、少なくとも前記複写部分に発色インクが施されている方が好ましい。
【００１３】
また、本発明は、前記申込者が保険に申し込むための申込書と、前記保険サービスを提供する保険業者のコンピューターと、前記申込者から前記申込書及び保険料金を受け取る受け取り業者の端末装置とを備え、前記保険業者のコンピューターと、前記受け取り業者の端末装置とが通信ネットワークを介して接続された、申込者が保険に申し込むと同時に保険サービスを受けられることが可能な保険料金支払いシステムであって、前記申込者が保険に申し込むための申込書を備え、前記申込書は、記入事項が記載される記載部分を表面に有すると共に、前記申込書に貼付するための保護シールを備え、前記申込書の裏面側には、少なくとも前記記載部分に対応する位置に複写紙が切り離し可能に設けられ、前記保護シールは、前記保護シールの最下面に位置し、前記申込書の前記記載部分よりも大きい面積を有するベースシートと、前記ベースシート上に該ベースシートに対して剥離可能に設けられ、該ベースシートから剥離されて前記申込書の前記記載部分を含む領域に貼付される透明シートと、前記透明シート上に該透明シートに対して剥離可能に設けられた不透明な保護シートとを有し、前記透明シートの裏面には、透明シート用接着層が設けられ、前記保護シートの裏面には、保護シート用接着層が設けられ、前記透明シートには、該透明シートの裏面と前記透明シート用接着層との間で、かつ、前記申込書の前記領域内の前記記載部分以外の部分に対応する位置に、前記申込書を特定する特定情報及び保険料金情報が少なくとも含まれた読み取り部が介在されており、前記保護シートは、前記申込書の前記領域内の前記記載部分に対応する部分と、前記申込書の前記領域内の前記記載部分以外の部分に対応する部分とを分離して剥離することができるようになっており、前記受け取り業者の端末装置は、前記申込書の前記読み取り部を読み取るための読取手段を備えており、前記申込者は、保険に申し込む際、前記申込書の前記記載部分に前記記入事項を記載し、前記記入事項が複写された複写紙を前記申込書から切り離してお客様控えとして保管すると共に、前記透明シートを前記ベースシートから剥離して前記申込書の前記記載部分を含む領域に貼付し、前記申込書の前記記載部分を含む領域に貼付された前記保護シートの、前記申込書の前記領域内の前記記載部分以外の部分に対応する部分を、前記申込書の前記領域内の前記記載部分に対応する部分から分離し剥離して前記読み取り部を露呈し、この状態の申込書を前記受け取り業者に差し出し、前記申込者から前記申込書を差し出された前記受け取り業者は、前記申込書の露呈した読み取り部を前記端末装置の前記読取手段で読み取って、該読み取った情報を前記通信ネットワークを介して前記端末装置から前記保険業者のコンピューターに伝送すると共に、該読み取り部の保険料金情報をもとに前記申込者から保険料金を受け取り、その後、該申込書を前記申込者に差し出し、前記申込者は前記受け取り業者から受け取った該申込書を投函することを特徴とする保険料金支払いシステムを提供する。
【００１４】
また、前記透明シート用接着層の接着力は、前記保護シート用接着層の接着力よりも大きい方が好ましい。また、前記記入事項は、個人情報にすることができる。また、前記個人情報は、住所、氏名、生年月日、電話番号の少なくともいずれか一つを含めることができる。また、前記読み取り部には、保険サービス内容情報を更に含めることができる。また、前記読み取り部は、バーコードである方が好ましい。また、前記保険は、損害保険にすることができる。また、前記損害保険は、ゴルファー保険にすることができる。また、前記保険は、生命保険にすることができる。また、前記申込書は、はがきである方が好ましい。また、前記複写紙は、前記申込書の裏面全体に設けられている方が好ましい。
【００１５】
また、本発明は、前記申込者が保険に申し込むための申込書と、前記保険サービスを提供する保険業者のコンピューターと、前記申込者から前記申込書及び保険料金を受け取る受け取り業者の端末装置とを備え、前記保険業者のコンピューターと、前記受け取り業者の端末装置とが通信ネットワークを介して接続された、申込者が保険に申し込むと同時に保険サービスを受けられることが可能な保険料金支払いシステムであって、前記申込者が保険に申し込むための申込書を備え、前記申込書は、記入事項が記載される記載部分と該申込書を特定する特定情報とを表面に有すると共に切り抜き穴が形成され、前記申込書に貼付するための保護シールと、払込書とを備え、前記保護シールは、前記保護シールの最下面に位置し、前記申込書の前記記載部分と前記切り抜き穴とを含む領域の面積を有するベースシートと、前記ベースシート上に該ベースシートに対して剥離可能に設けられ、該ベースシートから剥離されて前記申込書の前記領域に貼付される透明シートと、前記透明シート上に該透明シートに対して剥離可能に設けられた不透明な保護シートとを有し、前記透明シートの裏面には、透明シート用接着層が設けられ、前記保護シートの裏面には、保護シート用接着層が設けられ、前記透明シートには、該透明シートの裏面と前記透明シート用接着層との間で、かつ、前記申込書の前記切り抜き穴に対応する位置に、前記申込書を特定する特定情報及び保険料金情報が少なくとも含まれた読み取り部が介在されており、前記保護シートは、前記申込書の前記領域内の前記記載部分に対応する部分と、前記申込書の前記領域内の前記切り抜き穴に対応する部分とを分離して剥離することができるようになっており、前記払込書は、該払込書の表面が前記申込書の裏面と接面するように、該申込書と重ねられて設けられていると共に、複写部と控部と受領部とをそれぞれ切り取り可能に備えており、前記複写部は、前記申込書の前記記載部分に記載された前記記入事項が複写される複写部分と、前記保護シールの前記透明シートが前記申込書の前記領域に貼付された際に、前記申込書の前記切り抜き穴を通して前記読み取り部が貼付される読み取り部用貼付部分とを有しており、前記受け取り業者の端末装置は、前記申込書の前記読み取り部を読み取るための読取手段を備えており、前記申込者は、保険に申し込む際、前記申込書の前記記載部分に前記記入事項を記載して前記払込書の前記複写部の前記複写部分に該記入事項を複写し、前記透明シートを前記ベースシートから剥離して前記申込書の前記領域に貼付すると共に前記申込書の前記切り抜き穴を通して前記読み取り部を前記読み取り部用貼付部分に貼付し、前記申込書の前記領域に貼付された前記保護シートの、前記申込書の前記領域内の前記切り抜き穴に対応する部分を、前記申込書の前記領域内の前記記載部分に対応する部分から分離し剥離して前記読み取り部を露呈し、この状態の申込書及び払込書を前記受け取り業者に差し出し、前記申込者から前記申込書及び払込書を差し出された前記受け取り業者は、前記申込書の露呈した読み取り部を前記端末装置の前記読取手段で読み取って、該読み取った情報を前記通信ネットワークを介して前記端末装置から前記保険業者のコンピューターに伝送すると共に、該読み取り部の保険料金情報をもとに前記申込者から保険料金を受け取り、その後、該申込書と前記払込書の前記受領部とを前記申込者に差し出すと共に、前記払込書の前記複写部と前記控部を保管し、前記申込者は前記受け取り業者から受け取った該申込書を投函すると共に、前記受領部をお客様控えとして保管することを特徴とする保険料金支払いシステムを提供する。
【００１６】
また、前記透明シート用接着層の接着力は、前記保護シート用接着層の接着力よりも大きい方が好ましい。また、前記記入事項は、個人情報にすることができる。また、前記個人情報は、住所、氏名、生年月日、電話番号の少なくともいずれか一つを含めることができる。また、前記読み取り部には、保険サービス内容情報を更に含めることができる。また、前記読み取り部は、バーコードである方が好ましい。また、前記保険は、損害保険にすることができる。また、前記損害保険は、ゴルファー保険にすることができる。また、前記保険は、生命保険にすることができる。また、前記申込書は、はがきである方が好ましい。また、前記払込書の前記複写部には、少なくとも前記複写部分に発色インクが施されている方が好ましい。
【発明の効果】
【００１７】
本発明によれば、申込者が申込書に記入事項を記載して保険等に申し込むと同時に保険サービス（補償）を受けられることが可能であると共に、アフターロスの問題を解消することができる。
【発明を実施するための最良の形態】
【００１８】
以下、本発明にかかる保護シール及びこれを用いた申込書並びに保険料金支払いシステムを実施するための最良の形態について図面を参照しながら述べる。本発明にかかる保護シールは、ゴルファー保険などの損害保険や、生命保険等の保険の通信の申込書に適用可能である。図１には、保護シールを備えた一泊二日ゴルファー保険（損害保険）の申込書としてのはがき１を示している。
【００１９】
図１に示すように、はがき１の表面において、あて先（受取人）欄には、保険サービスを提供する保険業者の住所、会社名などが予め記載されている。このあて先欄の下には、「一泊二日ゴルファー保険申込書」と記載されており、この下に記入事項が記載される記載部分２が設けられている。記入事項は、住所、氏名、生年月日、電話番号の少なくともいずれか一つが含まれている個人情報にすることができる。図１に示す記入事項は、住所、氏名、生年月日、電話番号を全て含む個人情報となっている。また、記載部分２の下方には、余白部分３が設けられている。この記載部分２と余白部分３は、申込書であるはがき１の記載部分２を含む領域を画定している。
【００２０】
図４に示すように、図１に示す上記はがき１には、上記領域を画定する記載部分２及び余白部分３上に貼付するための保護シール４が適宜の手段（例えば、線糊やシール）によって取り付けられている。以下、この保護シール４について図２乃至図４を参照しながら説明する。図２には、保護シール４の平面を示し、図３には、保護シール４の断面を示している。図２及び図３に示すように、この保護シール４は、ベースシート５と、透明シート６と、保護シート７と、読み取り部８とから主に構成されている。
【００２１】
図２乃至図４に示すように、保護シール４は、はがき１の記載部分２よりも大きい面積を有するベースシート５が最下面に位置している。図示のベースシート５は、上記領域の面積と同じ面積、すなわち、記載部分２及び余白部分３の面積を有している。このベースシート５上には、ベースシート５と同じ面積を有する透明シート６がベースシート５に対して剥離可能に設けられている。この透明シート６は、ベースシート５の上面から剥離されてはがき１の記載部分２及び余白部分３（すなわち、上記領域）上に貼付されるものである。また、図３によく示すように、透明シート６の裏面には、透明シート用接着層６ａが設けられている。そして、透明シート６には、透明シート６の裏面と透明シート用接着層６ａとの間で、かつ、はがき１の上記領域内の記載部分２以外の部分である余白部分３に対応する位置に、読み取り部８が介在されている。従って、透明シート６の裏面全体に透明シート用接着層６ａが設けられているのではなく、透明シート用接着層６ａは、読み取り部８の裏面全体と、読み取り部８に覆われていない透明シート６の裏面とに設けられている。
【００２２】
読み取り部８は、バーコードであり、この読み取り部８には、はがき１を特定する特定情報（ユニークな情報）及び保険料金情報が少なくとも含まれており、更にはがき１の申し込み内容情報（保険サービス内容情報）を含めることができる。
【００２３】
透明シート６上には、ベースシート５及び透明シート６と同じ面積を有する不透明な保護シート７が透明シート６に対して剥離可能に設けられており、図３によく示すように、保護シート７の裏面には、保護シート用接着層７ａが設けられている。上記透明シート用接着層６ａの接着力は、この保護シート用接着層７ａの接着力よりも大きく設定されている。
【００２４】
また、図２によく示すように、保護シート７は、はがき１の上記領域内の記載部分２に対応する部分７ｂと、はがき１の上記領域内の記載部分以外の部分である余白部分３に対応する部分７ｃとが分離して剥離することができるようになっている。換言すると、はがき１の上記領域内の記載部分２に対応する部分７ｂと、はがき１の上記領域内の記載部分以外の部分である余白部分３に対応する部分７ｃとが分割線９で分割されており、それぞれ別々に剥離することができるようになっている。
【００２５】
上述のように、申込書であるはがき１には、保護シール４が備わっていると共に、図７に示すように、はがき１の裏面側には、少なくとも記載部分２に対応する位置に複写紙１０が適宜の手段（例えば、線糊）によって切り離し可能に設けられている。図示の複写紙１０は、はがき１の裏面全体に設けられている。
【００２６】
次に、上記はがき１を利用した、申込者が保険に申し込むと同時に保険サービスを受けられることが可能な保険料金支払いシステムについて説明する。このシステムは、申込者が保険に申し込むための申込書であるはがき１と、保険サービスを提供する保険業者のコンピューター（図１０参照）と、申込者からはがき１及び保険料金を受け取るコンビニエンスストア等の受け取り業者の端末装置とを備えており、保険業者のコンピューターと、受け取り業者の端末装置とは、通信ネットワークを介して接続されている。また、受け取り業者の端末装置は、はがき１の読み取り部８を読み取るための読取手段（図示せず）を備えている。
【００２７】
まず、申込者は、保険に申し込む際、コンビニエンスストア（受け取り業者）の各店舗に配布されている申込書であるはがき１（図４参照）表面の記載部分２に、住所、氏名、生年月日、電話番号の個人情報である記入事項を記載する。このとき、はがき１の裏面側には、複写紙１０が設けられているため（図７参照）、記載部分２に記載された氏名等の記入事項は複写紙１０に複写される。
【００２８】
申込者は、この記入事項が複写された複写紙１０をはがき１から切り離してお客様控えとして保管すると共に、このはがき１に取り付けられた保護シール４をはがき１から外し、図５に示すように保護シート７が上面に貼付された状態の透明シート６をベースシート５から剥離してはがき１の記載部分２を含む上記領域（すなわち、記載部分２及び余白部分３）に貼付する。図６には、この状態を示している。その後、申込者は、はがき１の記載部分２を含む上記領域（記載部分２及び余白部分３）に貼付された透明シート６上の保護シート７の、はがき１の上記領域内の記載部分以外２の部分である余白部分３に対応する部分７ｃを、はがき１の上記領域内の記載部分２に対応する部分７ｂから分割線９で分離し剥離して透明シート６を介して読み取り部（バーコード）８を露呈し、この状態のはがき１をコンビニエンスストア（受け取り業者）のレジ係に差し出す。図８には、このときの状態を示している。
【００２９】
なお、透明シート用接着層６ａの接着力は、保護シート用接着層７ａの接着力よりも大きく設定されているので、保護シート７の部分７ｃを剥離しても、透明シート６が剥がれることはない。
【００３０】
上記はがき１を申込者から差し出されたコンビニエンスストア（受け取り業者）のレジ係は、図８に示す状態のはがき１の透明シート６を介して露呈した読み取り部８を図示しない端末装置の読取手段で読み取って、該読み取った情報（はがきを特定する特定情報（ユニークな情報）及び保険料金情報等）を通信ネットワークを介して端末装置から保険業者のコンピューターに伝送する。この伝送は、例えば、ＰＯＳシステムを利用することが可能であり、読み取り部８から読み取った情報をＰＯＳデータとして伝送することができる（図１０参照）。コンビニエンスストア（受け取り業者）のレジ係は、この伝送と共に、読取手段で読み取った読み取り部８の保険料金情報をもとに申込者から保険料金を受け取り、その後、図８に示す状態のはがき１を申込者に差し出し、申込者は、コンビニエンスストア（受け取り業者）のレジ係から受け取った図８に示す状態のはがき１をポスト投函する（図１０参照）。保険業者は、この伝送された情報（ＰＯＳデータ）と、郵送されたはがき１とを、はがきを特定する特定情報（ユニークな情報）を基に照合させ、保険料金が支払われていることを確認する。この照合の際、保険業者は、郵送されたはがき１の上記領域内の記載部分２に対応する部分７ｂを剥がして申込者の住所、氏名、生年月日、電話番号の個人情報である記入事項を確認する。図９には、このときの状態のはがき１を示している。そして、保険業者は、この確認後、例えば、Ｗｅｂ画面に保険証券を掲載することができる。なお、申込者がコンビニエンスストア（受け取り業者）のレジ係に支払った保険料金は、任意の手段を介して保険業者に送られる。
【００３１】
上記システムによれば、申込者が記入事項を記載し、保護シール４を貼付した後読み取り部８を露呈した状態でコンビニエンスストア（受け取り業者）のレジ係にはがき１を差し出して、保険料金を支払うようにしているため、料金を支払った後の事故後に記入事項を記入することを防止することができ、また、記載部分２上に透明シート６が貼付されているため、上書き等の改ざんを防止することができ、もって、アフターロスの問題を解消することができる。また、読み取り部８の情報（はがきを特定する特定情報（ユニークな情報）及び保険料金情報等）を通信ネットワークを介して端末装置から保険業者のコンピューターに伝送すると共に、はがき１を投函するようにしているため、申込者が申込書（はがき１）に記入事項を記載して保険に申し込むと同時に保険サービス（補償）を受けられることが可能である。また、はがき１が郵便事故等により保険業者に届かないことがあっても、事故の際には、はがき１の複写紙１０（お客様控え）を提出することにより補償を有効とすることができる。
【００３２】
次に、本発明にかかる別の申込書について説明する。図１１には、保護シール１４を備えた一泊二日ゴルファー保険（損害保険）の申込書としてのはがき１１を示している。図１１に示すように、はがき１１の表面において、あて先（受取人）欄には、保険サービスを提供する保険業者の住所、会社名などが予め記載されている。このあて先欄の下には、「私は「契約概要」および「注意喚起情報」の記載事項を確認し、それに同意のうえ、「一泊二日ゴルファー保険」に申込みます。」と記載されており、この下に、申込書を特定する特定情報１５としての証券番号が記載されている。また、特定情報１５の下には、記入事項が記載される記載部分１６が設けられている。記入事項は、住所、氏名、生年月日、電話番号の少なくともいずれか一つを含む個人情報となっており、図示の記入事項は、住所、氏名、生年月日の個人情報に加えて、保険の補償開始日が含まれている。また、この記載部分１６の下には、切り抜き穴１７が形成されている。
【００３３】
図１１に示すように、はがき１１には、はがき１１の記載部分１６と切り抜き穴１７とを含む領域に貼付するための保護シール１４が適宜の手段（例えば、線糊やシール）によって取り付けられている。以下、この保護シール１４について図１１、図１５及び図１６を参照しながら説明する。図１５には、保護シール１４の平面を示し、図１６には、保護シール１４の断面を示している。図示のように、この保護シール１４は、ベースシート２５と、透明シート２６と、保護シート２７と、読み取り部３０とから主に構成されている。
【００３４】
保護シール１４は、はがき１１の記載部分１６と切り抜き穴１７とを含む領域の面積を有するベースシート２５が最下面に位置している。このベースシート２５上には、ベースシート２５と同じ面積を有する透明シート２６がベースシート２５に対して剥離可能に設けられている。この透明シート２６は、ベースシート２５の上面から剥離されてはがき１１の記載部分１６と切り抜き穴１７とを含む領域上に貼付されるものである。また、図１６によく示すように、透明シート２６の裏面には、透明シート用接着層２６ａが設けられている。そして、透明シート２６には、透明シート２６の裏面と透明シート用接着層２６ａとの間で、かつ、はがき１１の上記領域内の切り抜き穴１７に対応する位置に、読み取り部３０が介在されている。従って、透明シート２６の裏面全体に透明シート用接着層２６ａが設けられているのではなく、透明シート用接着層２６ａは、読み取り部３０の裏面全体と、読み取り部３０に覆われていない透明シート２６の裏面とに設けられている。
【００３５】
読み取り部３０は、バーコードであり、この読み取り部３０には、はがき１１を特定する特定情報（ユニークな情報）及び保険料金情報が少なくとも含まれており、更にはがき１１の申し込み内容情報（保険サービス内容情報）を含めることができる。この読み取り部３０に含まれたはがき１１を特定する特定情報（ユニークな情報）は、はがき１１に記載されたはがき１１を特定する特定情報（ユニークな情報）１５と同一である。
【００３６】
透明シート２６上には、ベースシート２５及び透明シート２６と同じ面積を有する不透明な保護シート２７が透明シート２６に対して剥離可能に設けられており、図１６によく示すように、保護シート２７の裏面には、保護シート用接着層２７ａが設けられている。上記透明シート用接着層２６ａの接着力は、この保護シート用接着層２７ａの接着力よりも大きく設定されている。
【００３７】
また、図１５によく示すように、保護シート２７は、はがき１１の上記領域内の記載部分１６に対応する部分２７ｂと、はがき１１の上記領域内の切り抜き穴に対応する部分２７ｃとが分離して剥離することができるようになっている。換言すると、はがき１１の上記領域内の記載部分２に対応する部分２７ｂと、はがき１１の上記領域内の切り抜き穴に対応する部分２７ｃとが分割線２９で分割されており、それぞれ別々に剥離することができるようになっている。
【００３８】
また、はがき１１は、図１２に示す払込書１８を備えている。この払込書１８は、図１３に示すように、払込書１８の表面がはがき１１の裏面と接面するようにはがき１１と重ねられて設けられており、適宜の手段（例えば、線糊）によってはがき１１に取り付けられている。
【００３９】
図１２に示すように、払込書１８には、補償項目や保険金額、申し込み手順などが記載されており、その下に複写部１９と、控部（店舗控）２０と、払込受領部（お客様控）２１とがそれぞれ切り取り線で切り取り可能に設けられている。複写部１９は、はがき１１の記載部分１６に記載された記入事項が複写される複写部分１９ａと、保護シール１４の透明シート２６がはがき１１の上記領域に貼付された際に、はがき１１の切り抜き穴１７を通して読み取り部３０が貼付される読み取り部用貼付部分（バーコード貼付部）１９ｂとを有している（図１４参照）。払込書１８は、複写部分１９ａがはがき１１の記載部分１６に対応すると共に、読み取り部用貼付部分１９ｂがはがき１１の切り抜き穴１７に対応するように、はがき１１の裏面側にはがき１１と重ねられて設けられている。
【００４０】
また、複写部１９には、少なくとも複写部分１９ａに発色インク（複写インク）が施されており、これによって、はがき１１の記載部分１６に記載された記入事項が複写部分１９ａに複写される。また、複写部１９の複写部分１９ａ上には、はがき１１を特定する特定情報１５と同じ情報（証券番号）と、保険業者の会社名（受取人）と、申込人が支払う保険料金が記載されている。
【００４１】
また、控部２０には、はがき１１を特定する特定情報１５と同じ情報（証券番号）と、保険業者の会社名（受取人）と、申込人が支払う保険料金が記載されており、加えて、申込人の住所氏名を記載する欄が設けられている。また、払込受領部（お客様控）２１には、はがき１１を特定する特定情報１５と同じ情報（証券番号）と、保険業者の会社名（受取人）と、申込人が支払う保険料金が記載されており、加えて、申込人（払込人）の氏名を記載する欄が設けられている。
【００４２】
次に、上記保護シール１４及び払込書１８を備えるはがき１１を利用した、申込者が保険に申し込むと同時に保険サービスを受けられることが可能な保険料金支払いシステムについて説明する。このシステムは、申込者が保険に申し込むための申込書であるはがき１１と、保険サービスを提供する保険業者のコンピューターと、申込者からはがき１１及び保険料金を受け取るコンビニエンスストア等の受け取り業者の端末装置とを備えており、保険業者のコンピューターと、受け取り業者の端末装置とは、通信ネットワークを介して接続されている。また、受け取り業者の端末装置は、払込書１８の読み取り部３０を読み取るための読取手段（図示せず）を備えている。
【００４３】
まず、申込者は、保険に申し込む際、コンビニエンスストア（受け取り業者）の各店舗に配布されている、保護シール１４及び払込書１８を備える申込書であるはがき１１（図１３参照）表面の記載部分１６に、記入事項である住所、氏名、生年月日、電話番号の個人情報及び保険の補償開始日を記載する。図１７には、そのときの状態を示す。このとき、払込書１８は、払込書１８の表面がはがき１１の裏面と接面するようにはがき１１と重ねられて設けられており、複写部分１９ａがはがき１１の記載部分１６に対応すると共に、読み取り部用貼付部分１９ｂがはがき１１の切り抜き穴１７に対応しているため、はがき１１の記載部分１６に記載された記入事項が複写部分１９ａに複写される。また、申込者は、払込書１８の控部（店舗控）２０の申込人の住所氏名を記載する欄と、払込受領部（お客様控）２１の申込人（払込人）の氏名を記載する欄にそれぞれ記入する。
【００４４】
次に、申込者は、このはがき１１に取り付けられた保護シール１４をはがき１１から外し、図１８に示すように保護シート２７が上面に貼付された状態の透明シート２６をベースシート２５から剥離してはがき１１の上記領域（すなわち、記載部分１６と切り抜き穴１７を含む領域）に貼付する。図１９にはこのときの状態を示している。また、読み取り部用貼付部分１９ｂがはがき１１の切り抜き穴１７に対応しているため、この貼付によって、読み取り部３０がはがき１１の切り抜き穴１７を通して払込書１８の読み取り部用貼付部分１９ｂに貼付される（図１４等参照）。その後、はがき１１の上記領域内の切り抜き穴１７に対応する部分２７ｃを、はがき１１の上記領域内の記載部分１６に対応する部分２７ｂから分割線２９で分離し剥離して透明シート２６を介して読み取り部３０を露呈し、この状態のはがき１１及び払込書１８をコンビニエンスストア（受け取り業者）のレジ係に差し出す。図２０には、この状態のはがき１１及び払込書１８を示し、図２１は、この状態のはがき１１を示し、図２２は、この状態の払込書１８を示す。
【００４５】
なお、透明シート用接着層２６ａの接着力は、保護シート用接着層２７ａの接着力よりも大きく設定されているので、保護シート２７の部分２７ｃを剥離しても、透明シート２６が剥がれることはない。
【００４６】
申込者からはがき１１及び払込書１８を差し出されたコンビニエンスストア（受け取り業者）のレジ係は、図２０に示す状態のはがき１１の透明シート２６を介して露呈した読み取り部３０を図示しない端末装置の読取手段で読み取って、該読み取った情報（はがきを特定する特定情報（ユニークな情報）及び保険料金情報等）を通信ネットワークを介して端末装置から保険業者のコンピューターに伝送する。この伝送は、例えば、ＰＯＳシステムを利用することが可能であり、読み取り部３０から読み取った情報をＰＯＳデータとして伝送することができる（図１０参照）。コンビニエンスストア（受け取り業者）のレジ係は、この伝送と共に、読取手段で読み取った読み取り部３０の保険料金情報をもとに申込者から保険料金を受け取り、そして、払込書１８から複写部１９と控部（店舗控）２０とを切り取り線で切り取って保管すると共に、はがき１１と払込書１８の払込受領部（お客様控）２１とを申込者に差し出す。
【００４７】
コンビニエンスストア（受け取り業者）のレジ係は、複写部１９をコンビニエンスストアの本部に渡すと共に、控部（店舗控）２０を保管する。一方、申込者は、コンビニエンスストア（受け取り業者）のレジ係から受け取った図２２に示すはがき１１をポスト投函する（図１０参照）と共に、払込書１８の払込受領部（お客様控）２１をお客様控えとして保管する。
【００４８】
保険業者は、この伝送された情報（ＰＯＳデータ）と、郵送されたはがき１１とを、はがきを特定する特定情報（ユニークな情報）を基に照合させ、保険料金が支払われていることを確認する。すなわち、伝送された情報（ＰＯＳデータ）の特定情報（ユニークな情報）と、はがき１１に記載されたはがき１１を特定する特定情報１５とを照合させて保険料金が支払われていることを確認する。この照合の際、保険業者は、郵送されたはがき１１の上記領域内の記載部分１６に対応する部分２７ｂを剥がして申込者の住所、氏名、生年月日の個人情報と保険の補償開始日を確認する。図２３には、このときの状態のはがき１１を示している。そして、保険業者は、この確認後、例えば、Ｗｅｂ画面に保険証券を掲載することができる。
【００４９】
また、申込者がコンビニエンスストア（受け取り業者）のレジ係に支払った保険料金は、コンビニエンスストア（受け取り業者）から収納代行会社を介して保険業者に送られることができるが、これに限らず、任意の手段を介して保険業者に送られることが可能である。
【００５０】
上記システムによれば、申込者が記入事項を記載し、保護シール１４を貼付した後読み取り部３０を露呈した状態でコンビニエンスストア（受け取り業者）のレジ係にはがき１１及び払込書１８を差し出して、保険料金を支払うようにしているため、料金を支払った後の事故後に記入事項を記入することを防止することができ、また、記載部分１６上に透明シート２６が貼付されているため、上書き等の改ざんを防止することができ、もって、アフターロスの問題を解消することができる。また、読み取り部３０の情報（はがきを特定する特定情報（ユニークな情報）及び保険料金情報等）を通信ネットワークを介して端末装置から保険業者のコンピューターに伝送すると共に、はがき１１を投函するようにしているため、申込者が申込書（はがき１１）に記入事項を記載して保険に申し込むと同時に保険サービス（補償）を受けられることが可能である。また、はがき１１が郵便事故等により保険業者に届かないことがあっても、事故の際には、払込書１８の払込受領部（お客様控）２１を提出することにより補償を有効とすることができる。
【図面の簡単な説明】
【００５１】
【図１】図１は、本発明にかかる申込書の実施の形態を示す正面図である。
【図２】図２は、本発明にかかる保護シールの実施の形態を示す平面図である。
【図３】図３は、上記実施の形態の保護シールを示す断面図である。
【図４】図４は、上記実施の形態の申込書を示す別の正面図である。
【図５】図５は、上記実施の形態の保護シールを示す別の断面図である。
【図６】図６は、上記実施の形態の申込書を示す別の正面図である。
【図７】図７は、上記実施の形態の申込書を示す簡略斜視図である。
【図８】図８は、上記実施の形態の申込書を示す別の正面図である。
【図９】図９は、上記実施の形態の申込書を示す別の正面図である。
【図１０】図１０は、本発明にかかる保険料金支払いシステムの一部を示す概略図である。
【図１１】図１１は、本発明にかかる申込書の別の実施の形態を示す正面図である。
【図１２】図１２は、上記実施の形態に適用可能な払込書の一例を示す正面図である。
【図１３】図１３は、上記実施の形態の申込書を示す別の正面図である。
【図１４】図１４は、上記実施の形態の申込書を示す簡略斜視図である。
【図１５】図１５は、本発明にかかる保護シールの別の実施の形態を示す平面図である。
【図１６】図１６は、上記実施の形態の保護シールを示す断面図である。
【図１７】図１７は、上記実施の形態の申込書を示す別の正面図である。
【図１８】図１８は、上記実施の形態の保護シールを示す別の断面図である。
【図１９】図１９は、上記実施の形態の申込書を示す別の正面図である。
【図２０】図２０は、上記実施の形態の申込書を示す別の正面図である。
【図２１】図２１は、上記実施の形態に適用可能な払込書の一例を示す正面図である。
【図２２】図２２は、上記実施の形態の申込書を示す別の正面図である。
【図２３】図２３は、上記実施の形態の申込書を示す別の正面図である。
【符号の説明】
【００５２】
１    はがき
２    記載部分
３    余白部分
４    保護シール
５    ベースシート
６    透明シート
６ａ  透明シート用接着層
７    保護シート
７ａ  保護シート用接着層
７ｂ  はがき１の上記領域内の記載部分２に対応する部分
７ｃ  はがき１の上記領域内の記載部分以外の部分である余白部分３に対応する部分
８    読み取り部
９    分割線
１０    複写紙
１１    はがき
１４    保護シール
１５    特定情報
１６    記載部分
１７    切り抜き穴
１８    払込書
１９    複写部
１９ａ  複写部分
１９ｂ  読み取り部用貼付部分（バーコード貼付部）
２０    控部（店舗控）
２１    払込受領部（お客様控）
２５    ベースシート
２６    透明シート
２６ａ  透明シート用接着層
２７    保護シート
２７ａ  保護シート用接着層
２７ｂ  はがき１１の上記領域内の記載部分１６に対応する部分
２７ｃ  はがき１１の上記領域内の切り抜き穴に対応する部分
３０    読み取り部
【図１】
2008073900.tif 000003
【図２】
2008073900.tif 000004
【図３】
2008073900.tif 000005
【図４】
2008073900.tif 000006
【図５】
2008073900.tif 000007
【図６】
2008073900.tif 000008
【図７】
2008073900.tif 000009
【図８】
2008073900.tif 000010
【図９】
2008073900.tif 000011
【図１０】
2008073900.tif 000012
【図１１】
2008073900.tif 000013
【図１２】
2008073900.tif 000014
【図１３】
2008073900.tif 000015
【図１４】
2008073900.tif 000016
【図１５】
2008073900.tif 000017
【図１６】
2008073900.tif 000018
【図１７】
2008073900.tif 000019
【図１８】
2008073900.tif 000020
【図１９】
2008073900.tif 000021
【図２０】
2008073900.tif 000022
【図２１】
2008073900.tif 000023
【図２２】
2008073900.tif 000024
【図２３】
2008073900.tif 000025